(57)【要約】  ワイヤレス通信デバイスのユーザを、またはワイヤレス通信デバイスと通信する第２のワイヤレス通信デバイスにおけるユーザをプロファイルする、システム、方法およびワイヤレス通信デバイス。ワイヤレス通信デバイスは、そのユーザに対するユーザデータを、または、第２のワイヤレス通信デバイスにおけるユーザからのユーザデータを収集し、性格または心理学的プロファイル、あるいは、ユーザの医療診断のような、ユーザプロファイルを、直接発生させるか、または、他の場所で発生させ、ユーザプロファイルをユーザに表示でき、および／またはユーザプロファイルに基づいて、ワイヤレス通信デバイスの機能を変更できる。収集されるユーザデータは、ワイヤレス通信デバイスとの物理的なユーザ対話からの、またはカメラおよび医療診断デバイスのような、ワイヤレス通信デバイスに常駐している他の機器からのものとすることができる。
2010531121.tif 000002
【特許請求の範囲】
【請求項１】
ワイヤレス通信デバイスのユーザをプロファイルし、前記ユーザのプロファイルに基づいて、前記ワイヤレス通信デバイスの機能を変更する方法において、
ユーザ対話に対する機能を有する前記ワイヤレス通信デバイスとの物理的なユーザ対話からユーザデータを収集することと、
前記収集したユーザデータに基づいて、ユーザプロファイルを生成させることと、
前記収集したユーザデータに基づいて、前記ワイヤレス通信デバイスの機能を変更することとを含む方法。
【請求項２】
前記ユーザデータを収集することは、前記ユーザによって前記ワイヤレス通信デバイスに入力されるデータの解釈に基づいている請求項１記載の方法。
【請求項３】
前記ユーザデータを収集することは、前記ユーザによって前記ワイヤレス通信デバイスに入力される短期間のデータの解釈に基づいている請求項１記載の方法。
【請求項４】
前記ユーザデータを収集することは、前記ユーザによって前記ワイヤレス通信デバイスに入力される長期間のデータの解釈に基づいている請求項１記載の方法。
【請求項５】
前記ユーザデータを収集することは、前記ワイヤレス通信デバイスに常駐しているコンタクトリストの解釈に基づいている請求項１記載の方法。
【請求項６】
前記ユーザデータを収集することは、前記ワイヤレス通信デバイスに対する１つ以上の通信グループのメンバーの数の解釈に基づいている請求項１記載の方法。
【請求項７】
前記ユーザデータを収集することは、前記ワイヤレス通信デバイスの１つ以上のデータ入力メカニズムとの、ユーザの物理的対話の解釈に基づいている請求項１記載の方法。
【請求項８】
前記ユーザデータを収集することは、前記ワイヤレス通信デバイスのユーザの取得された物理的情報に基づいている請求項１記載の方法。
【請求項９】
前記ワイヤレス通信デバイスはカメラを含み、前記ユーザデータを収集することは、前記ワイヤレス通信デバイスのユーザの取得された写真の解釈に基づいている請求項８記載の方法。
【請求項１０】
前記ワイヤレス通信デバイスは音声入力を含み、前記ユーザデータを収集することは、前記ワイヤレス通信デバイスに話している前記ユーザのスピーチ音量の解釈に基づいている請求項８記載の方法。
【請求項１１】
前記ユーザデータを収集することは、前記ワイヤレス通信デバイスに常駐しているコンタクトリストの解釈に基づいている請求項１記載の方法。
【請求項１２】
前記ワイヤレス通信デバイスは、１つ以上の医療診断ツールを含み、前記ユーザデータを収集することは、前記１つ以上の医療診断ツールによって、前記ワイヤレス通信デバイスのユーザに対して収集された医療データの解釈に基づいている請求項１記載の方法。
【請求項１３】
前記ユーザプロファイルを生成させることは、前記収集したユーザデータの心理学的評価を実行することである請求項１記載の方法。
【請求項１４】
前記ユーザプロファイルを生成させることは、前記収集したユーザデータに基づいて医療診断を作成することである請求項１２記載の方法。
【請求項１５】
前記ユーザプロファイルを生成させることは、前記ワイヤレス通信デバイスにおいて発生する請求項１記載の方法。
【請求項１６】
前記ワイヤレス通信デバイスは、ワイヤレス通信ネットワークを通して１つ以上のコンピュータデバイスと通信し、前記方法は、
前記ワイヤレス通信ネットワークを通して、前記ワイヤレス通信デバイスからコンピュータデバイスに、前記収集したユーザデータを送ることと、
前記コンピュータデバイスから前記送信ワイヤレス通信デバイスに前記ユーザプロファイルを送ることとを含み、
前記ユーザプロファイルを生成させることは、前記コンピュータデバイスにおいて発生する請求項１記載の方法。
【請求項１７】
前記ワイヤレス通信デバイスはグラフィックユーザインターフェース（ＧＵＩ）を含み、前記ワイヤレス通信デバイスの機能を変更することは、前記ワイヤレス通信デバイスのＧＵＩを変更することである請求項１記載の方法。
【請求項１８】
ユーザプロファイルに基づくワイヤレス通信デバイスの機能を有するワイヤレス通信デバイスにおいて、
前記ワイヤレス通信デバイスとの物理的なユーザ対話からユーザデータを収集する手段と、
前記収集したユーザデータに基づいて、ユーザプロファイルを生成させる手段と、
前記収集したユーザデータに基づいて、前記ワイヤレス通信デバイスの機能を変更する手段とを具備するワイヤレス通信デバイス。
【請求項１９】
前記ユーザデータに基づいて、心理学的プロファイルを発生させる手段をさらに具備する請求項１８記載のデバイス。
【請求項２０】
前記ワイヤレス通信デバイスのユーザの医療診断データを収集する手段をさらに具備する請求項１８記載のデバイス。
【請求項２１】
前記収集したユーザデータに基づいて、医療診断を発生させる手段をさらに具備する請求項２０記載のデバイス。
【請求項２２】
ワイヤレス通信ネットワークにおけるワイヤレス通信デバイスに対して前記ワイヤレス通信デバイスの機能を変更するシステムであって、前記変更は、前記ワイヤレス通信デバイスのユーザのユーザプロファイルに基づいているシステムにおいて、
前記ワイヤレス通信デバイスとの物理的なユーザ対話からユーザデータを収集するように構成され、ユーザ対話に対する機能を有し、前記ワイヤレス通信ネットワークを通して、前記収集したユーザデータを選択的に送信するようにさらに構成されている少なくとも１つのワイヤレス通信デバイスと、
前記送信された収集ユーザデータを受信するように構成され、前記受信した収集ユーザデータに基づいて、ユーザプロファイルデータを生成させ、前記少なくとも１つのワイヤレス通信デバイスに対して前記ユーザプロファイルデータを送信するようにさらに構成されている少なくとも１つのコンピュータデバイスとを具備し、
前記ワイヤレス通信デバイスは、前記受信したユーザプロファイルデータに基づいて、前記ワイヤレス通信デバイスの機能を変更するようにさらに構成されているシステム。
【請求項２３】
前記ユーザプロファイルデータは、前記ワイヤレス通信デバイスの特定の、ワイヤレスデバイスの機能を含み、前記少なくとも１つのワイヤレス通信デバイスは、前記ユーザプロファイルデータにおいて受信した前記ワイヤレス通信デバイスに基づいて、前記ワイヤレス通信デバイスの機能を変更するようにさらに構成されている請求項２２記載のシステム。
【請求項２４】
前記少なくとも１つのコンピュータデバイスは、前記ユーザプロファイルデータを記憶するようにさらに構成されている請求項２２記載のシステム。
【請求項２５】
前記ユーザデータを収集することは、前記ユーザによって前記ワイヤレス通信デバイスに入力されるデータの解釈に基づいている請求項２２記載のシステム。
【請求項２６】
前記ユーザデータを収集することは、前記ユーザによって前記ワイヤレス通信デバイスに入力される短期間のデータの解釈に基づいている請求項２２記載のシステム。
【請求項２７】
前記ユーザデータを収集することは、前記ユーザによって前記ワイヤレス通信デバイスに入力される長期間のデータの解釈に基づいている請求項２２記載のシステム。
【請求項２８】
前記ユーザデータを収集することは、前記ワイヤレス通信デバイスに常駐しているコンタクトリストの解釈に基づいている請求項２２記載のシステム。
【請求項２９】
前記ユーザデータを収集することは、前記ワイヤレス通信デバイスに対する１つ以上の通信グループのメンバーの数の解釈に基づいている請求項２２記載のシステム。
【請求項３０】
前記ワイヤレス通信デバイスは、１つ以上のデータ入力メカニズムを含み、前記ワイヤレス通信デバイスは、前記ユーザによって前記データ入力メカニズムに入力されるデータの解釈に基づいて、ユーザデータを発生させるようにさらに構成されている請求項２２記載のシステム。
【請求項３１】
前記ユーザデータを収集することは、前記ワイヤレス通信デバイスのユーザの取得された物理的情報に基づいている請求項２２記載のシステム。
【請求項３２】
前記ワイヤレス通信デバイスはカメラを含み、前記ユーザデータを収集することは、前記ワイヤレス通信デバイスのユーザの取得された写真の解釈に基づいている請求項３１記載のシステム。
【請求項３３】
前記ワイヤレス通信デバイスは音声入力を含み、前記ユーザデータを収集することは、前記ワイヤレス通信デバイスに話している前記ユーザのスピーチ音量の解釈に基づいている請求項３１記載のシステム。
【請求項３４】
前記ワイヤレス通信デバイスは、１つ以上の医療診断ツールを含み、前記ユーザデータを収集することは、前記１つ以上の医療診断ツールによって、前記ワイヤレス通信デバイスのユーザに対して収集された医療データの解釈に基づいている請求項２２記載のシステム。
【請求項３５】
前記ユーザプロファイルを生成させることは、前記収集したユーザデータの心理学的評価を実行することである請求項２２記載のシステム。
【請求項３６】
前記ユーザプロファイルを生成させることは、前記収集したユーザデータに基づいて医療診断を作成することである請求項３４記載のシステム。
【請求項３７】
前記ユーザデータを収集することは、前記ユーザによって前記ワイヤレス通信デバイスに入力される短期間のデータの解釈に基づいている請求項２２記載のシステム。
【請求項３８】
前記ユーザデータを収集することは、前記ユーザによって前記ワイヤレス通信デバイスに入力される長期間のデータの解釈に基づいている請求項２２記載のシステム。
【請求項３９】
ワイヤレス通信ネットワークを通して他のコンピュータデバイスと選択的に通信し、前記他のコンピュータデバイスのユーザに対するユーザプロファイルを生成させるように構成され、前記他のコンピュータデバイスのうちの少なくとも１つは、それについてユーザを有するワイヤレス通信デバイスにおいて、
前記ワイヤレス通信ネットワークを通して、前記ワイヤレス通信デバイスと、少なくとも１つのコンピュータデバイスとの間の対話からデータを収集するデータ入力モジュールと、
前記対話からの収集データに基づいて、前記少なくとも１つのコンピュータデバイスのユーザに対するユーザプロファイルを生成させるプロファイルモジュールと、
前記ワイヤレスネットワークを通して、前記少なくとも１つのコンピュータデバイスのユーザに対するユーザプロファイルを、前記ワイヤレス通信デバイスのユーザに通知する通信モジュールとを具備するワイヤレス通信デバイス。
【請求項４０】
前記ワイヤレス通信デバイスは、前記ワイヤレスネットワークを通して、他のコンピュータデバイスと対話するための、ワイヤレス通信デバイスの対話機能を含み、前記ワイヤレス通信デバイスはさらに、前記ユーザプロファイルに基づいて、前記少なくとも１つのコンピュータデバイスとの対話のための、前記ワイヤレス通信デバイスの対話機能を変更する請求項３９記載のデバイス。
【請求項４１】
前記ワイヤレスコンピュータデバイスはさらに、前記ワイヤレスコンピュータネットワークを通して、前記少なくとも１つのコンピュータデバイスに対するユーザプロファイルを第２のコンピュータデバイスに送る請求項３９記載のデバイス。
【請求項４２】
前記データ入力モジュールは、前記ワイヤレス通信ネットワークを通して、前記ワイヤレス通信デバイスと、少なくとも１つのコンピュータデバイスとの間の短期間の対話からデータを収集する請求項３９記載のデバイス。
【請求項４３】
前記データ入力モジュールは、前記ワイヤレス通信ネットワークを通して、前記ワイヤレス通信デバイスと、少なくとも１つのコンピュータデバイスとの間の長期間の対話からデータを収集する請求項３９記載のデバイス。
【請求項４４】
ワイヤレス通信ネットワークを通して、他のワイヤレス通信デバイスと選択的に通信するワイヤレス通信デバイスのユーザをプロファイルする方法において、
第２のワイヤレス通信デバイスとの物理的ユーザ対話から、第１のワイヤレス通信デバイスにおいてユーザデータを収集することと、
前記収集したユーザデータを解釈して、前記第２のワイヤレス通信デバイスのユーザに対するユーザプロファイルを生成させることとを含む方法。
【請求項４５】
前記第１のワイヤレス通信デバイスおよび前記第２のワイヤレス通信デバイスは、それについて同じユーザを有する同じワイヤレス通信デバイスである請求項４４記載の方法。
【請求項４６】
前記第２のワイヤレス通信デバイスは、前記ワイヤレス通信ネットワークを通して前記第１のワイヤレス通信デバイスと通信する請求項４４記載の方法。
【請求項４７】
前記収集したユーザデータを解釈して、ユーザプロファイルを生成させることは、前記第１のワイヤレス通信デバイスにおいて発生する請求項４４記載の方法。
【請求項４８】
前記第１のワイヤレス通信デバイスは、前記ワイヤレス通信ネットワークを通して、１つ以上のコンピュータデバイスと通信し、前記方法は、
前記ワイヤレス通信ネットワークを通して、前記第１のワイヤレス通信デバイスからコンピュータデバイスに、前記収集したユーザデータを送ることをさらに含み、
前記収集したユーザデータを解釈して、ユーザプロファイルを発生させることは、前記コンピュータデバイスにおいて発生する請求項４４記載の方法。
【請求項４９】
前記コンピュータデバイスから前記第１のワイヤレス通信デバイスに、前記第２のワイヤレス通信デバイスのユーザに対するユーザプロファイルを送ることをさらに含む請求項４４記載の方法。
【請求項５０】
前記ユーザデータを収集することは、前記ユーザによって前記第２のワイヤレス通信デバイスに入力されるデータの解釈に基づいている請求項４４記載の方法。
【請求項５１】
前記ユーザデータを収集することは、前記ユーザによって前記第２のワイヤレス通信デバイスに入力される短期間のデータの解釈に基づいている請求項５０記載の方法。
【請求項５２】
前記ユーザデータを収集することは、前記ユーザによって前記第２のワイヤレス通信デバイスに入力される長期間のデータの解釈に基づいている請求項５０記載の方法。
【請求項５３】
前記ユーザデータを収集することは、前記第２のワイヤレス通信デバイスに常駐しているコンタクトリストの解釈に基づいている請求項５０記載の方法。
【請求項５４】
前記ユーザデータを収集することは、前記第２のワイヤレス通信デバイスに対する１つ以上の通信グループのメンバーの数の解釈に基づいている請求項４４記載の方法。
【請求項５５】
前記ユーザデータを収集することは、前記第２のワイヤレス通信デバイスの１つ以上のデータ入力メカニズムとの、ユーザの物理的対話の解釈に基づいている請求項４４記載の方法。
【請求項５６】
前記ユーザデータを収集することは、前記第２のワイヤレス通信デバイスのユーザの取得された物理的情報に基づいている請求項４４記載の方法。
【請求項５７】
前記第２のワイヤレス通信デバイスはカメラを含み、前記ユーザデータを収集することは、前記第２のワイヤレス通信デバイスのユーザの取得された写真の解釈に基づいている請求項５６記載の方法。
【請求項５８】
前記第２のワイヤレス通信デバイスは音声入力を含み、前記ユーザデータを収集することは、前記第２のワイヤレス通信デバイスに話している前記ユーザのスピーチ音量の解釈に基づいている請求項５６記載の方法。
【請求項５９】
前記ユーザデータを収集することは、前記第２のワイヤレス通信デバイスに常駐しているコンタクトリストの解釈に基づいている請求項４４記載の方法。
【請求項６０】
前記第２のワイヤレス通信デバイスは、１つ以上の医療診断ツールを含み、前記ユーザデータを収集することは、前記１つ以上の医療診断ツールによって、前記第２のワイヤレス通信デバイスのユーザに対して収集された医療データの解釈に基づいている請求項４４記載の方法。
【請求項６１】
前記ユーザプロファイルを生成させることは、前記収集したユーザデータの心理学的評価を実行することである請求項４４記載の方法。
【請求項６２】
前記ユーザプロファイルを生成させることは、前記収集したユーザデータに基づいて医療診断を作成することである請求項６０記載の方法。
【請求項６３】
前記第１のワイヤレス通信デバイスは、そのユーザと対話するための、ワイヤレス通信デバイスの機能を含み、前記第１のワイヤレス通信デバイスはさらに、前記第２のワイヤレス通信デバイスのユーザに対するユーザプロファイルに基づいて、前記ワイヤレス通信デバイスの機能を変更する請求項４４記載の方法。
【発明の詳細な説明】
【関連出願に対する相互参照】
【０００１】
本出願は、２００７年６月２０日に出願された、米国仮特許出願シリアル番号６０／９４５，１０１の利益を主張する。これらの文書のコンテンツは、参照によりここに組み込まれている。
【発明の背景】
【０００２】
１．発明の分野
本発明は、ワイヤレス通信ネットワークを通して通信するワイヤレス通信デバイスに関し、より詳細には、本発明は、デバイスとのユーザの対話に基づいて、ワイヤレス通信デバイスのユーザに対するプロファイルを収集するシステムおよび方法に関する。
【０００３】
２．関連技術の説明
移動電話機、パーソナルデジタルアシスタント（ＰＤＡ），対話型ページャおよび他のワイヤレスコンピュータプラットフォームのようなワイヤレス通信デバイスを含む、既存の計算デバイスは、ユーザとのそれらの対話機能を変更できる。一般に、ユーザは、デバイスの機能パラメータを設定し、デバイスの機能パラメータは、例えば、ユーザインターフェース（ＵＩ）、スクリーン提示のようなナビゲーション選択、呼出し音および自動ターンオフのような他のアイテムである。これらの機能のほとんどは、デバイスによって自動的に調整されないが、ユーザによって特に調整されるまで、ベンダによってデフォルトのパラメータに設定される。移動計算デバイスはまた、一般に、帯域幅、処理能力および電力のような、制限されたリソースを有し、そのため、デバイスの活動を制限して、デバイスのリソースを節約して使うことが常に望ましい。
【０００４】
デバイスとのユーザの対話に基づいて、デバイスのユーザの好みを学習しようと試みる、いくつかのコンピュータデバイスがある。例えば、コンピュータデバイスは、デバイスの機能により“最も最近に使用された”アルゴリズムを実現することが多く、そのために、デバイスのユーザの、最も最近に使用されたアイテムまたは機能が、ユーザによって次に望まれる可能性が最も高いものであると仮定する。より複雑なアルゴリズムは、実現するのに非常に多くの移動デバイスのリソースを必要とすることから、コンピュータデバイスは一般に、デバイスの使用の単純なパターンに基づいて、ユーザの願望を予測しようとする基本的なアルゴリズムだけを使用する。その結果、ユーザによる変更なしでは、コンピュータデバイスは、ユーザに対するデバイスの機能を自動的に著しく変更しない。
【０００５】
それゆえに、ワイヤレス通信デバイスのユーザを十分にプロファイルし、かつ、特定のユーザのプロファイルに基づいて、ワイヤレス通信デバイスの機能を選択的に修正する能力を有することが望ましく、この能力を提供するシステムおよび方法に、本発明は主として向けられている。
【発明の概要】
【０００６】
簡潔に記述すると、本発明は、ワイヤレス通信デバイスのユーザを、またはワイヤレス通信デバイスと通信する第２のワイヤレス通信デバイスにおけるユーザをプロファイルする、システム、方法およびワイヤレス通信デバイスを含む。ワイヤレス通信デバイスは、そのユーザに対するユーザデータを、または、第２のワイヤレス通信デバイスにおけるユーザからユーザデータを収集し、心理学的プロファイルまたはユーザの医療診断のような、ユーザプロファイルを、直接発生させるか、または、他の場所で発生させており、ユーザプロファイルをユーザに表示でき、および／またはユーザプロファイルに基づいて、ワイヤレス通信デバイスの機能を変更できる。収集されるユーザデータは、ワイヤレス通信デバイスとの物理的なユーザ対話からの、またはカメラおよび医療診断デバイスのようなワイヤレス通信デバイスに常駐している他のデータ機器からのものとすることができる。
【０００７】
１つの実施形態において、ワイヤレス通信デバイスは、特定のデバイスユーザに関するデータを集め、ユーザに対する特定の心理学的プロファイルまたは性格プロファイルを生成させ、直接的に、または間接的にそれらのスコアをＵＩ設定、応答および挙動にマッピングする。ワイヤレスデバイスはまた、同じデバイスの複数のユーザに対して、それ自身を再設定でき、ここで、それらの複数のユーザは、異なる性格を有していてもよい。これらのワイヤレス通信デバイスが、他のユーザデバイスと通信するとき、それぞれのプロファイルデータを使用して、互いにユーザの通信を支援できる。
【０００８】
１つの実施形態において、ワイヤレス通信ネットワークにおけるワイヤレス通信デバイスに対してワイヤレス通信デバイスの機能を変更するシステムであって、そのような変更がワイヤレス通信デバイスのユーザのユーザプロファイルに基づいているシステムは、ワイヤレス通信デバイスとの物理的なユーザ対話からユーザデータを収集するように構成されている少なくとも１つのワイヤレス通信デバイスを含む。ワイヤレス通信デバイスは、ユーザ対話に対する機能を有し、ワイヤレス通信ネットワークを通して、収集したユーザデータを選択的に送信できる。少なくとも１つのコンピュータデバイスが、送信された収集ユーザデータを受信し、受信した収集ユーザデータに基づいて、ユーザプロファイルデータを生成させ、少なくとも１つのワイヤレス通信デバイスに対してユーザプロファイルデータを戻すように送信する。ワイヤレス通信デバイスは、受信したユーザプロファイルデータに基づいて、ワイヤレス通信デバイスの機能を変更できる。
【０００９】
１つの実施形態において、ワイヤレス通信デバイスのユーザをプロファイルし、ユーザのプロファイルに基づいて、ワイヤレス通信デバイスの機能を変更する方法は、ユーザ対話に対する機能を有するワイヤレス通信デバイスとの物理的なユーザ対話からユーザデータを収集することと、収集したユーザデータに基づいて、ユーザプロファイルを生成させることとを含む。次に、デバイスは、収集したユーザデータに基づいて、ワイヤレス通信デバイスの機能を変更できる。
【００１０】
１つの実施形態において、ワイヤレス通信デバイスは、ユーザプロファイルに基づく、ワイヤレス通信デバイスの機能を有し、物理的なユーザ対話からユーザデータを収集し、次に、収集したユーザデータに基づいて、ユーザプロファイルを生成させる。しかしながら、ワイヤレス通信デバイスは、収集したユーザデータに基づいて、機能を選択的に変更できるが、そうする必要はない。ワイヤレスデバイスはまた、ユーザの医療データを収集し、ユーザプロファイルとして医療診断を作成するように装備できる。
【００１１】
以下で示す図面の簡単な説明、発明の詳細な説明、および特許請求の範囲のレビュー後に、本発明の他の利益および特徴が明らかになるだろう。
【図面の簡単な説明】
【００１２】
【図１】図１は、それを通して通信する複数のワイヤレス通信デバイスを有するワイヤレス通信ネットワークのアーキテクチャの１つの実施形態である。
【図２】図２は、常駐のコンピュータプラットフォームのブロック図とともに、ワイヤレス通信デバイスとして移動電話機を図示する代表的な図である。
【図３】図３は、デバイスのユーザに対する性格プロファイルを説明する、ワイヤレス通信デバイスのディスプレイに対するスクリーンのショットである。
【図４】図４は、２つの通信しているデバイスが、他のワイヤレス通信デバイスのユーザに対する短期間の感情的なプロファイルを示している、本発明の１つの実施形態を図示する代表的な図である。
【図５】図５は、発生されたユーザプロファイルが性格型であることに基づく、ワイヤレス通信デバイスに対するユーザインターフェース（ＵＩ）設定の１つの実施形態を図示するチャートである。
【図６】図６は、ワイヤレス通信デバイスにおいて、ユーザプロファイルを発生させ、それにしたがって設定を変更する方法の１つの実施形態を図示するフローチャートである。
【図７】図７Ａは、ワイヤレス通信デバイスから図７Ｂ中で示すプロセスを実行する別のコンピュータデバイスに、収集したユーザデータを送って、他のコンピュータデバイスからユーザプロファイルを戻すように受信する方法の１つの実施形態であり、図７Ｂは、図７Ａ中のワイヤレス通信デバイスから送られた収集ユーザデータに基づいて、コンピュータデバイスにおいてユーザプロファイルを生成および記憶し、次に、ワイヤレス通信デバイスに対してユーザプロファイルを戻すように送る方法の１つの実施形態である。
【図８】図８は、通信しているデバイスのユーザに対して、記憶されているユーザプロファイルを示すことを可能にするか、または、代わりに、短期間のプロファイルを発生および表示できる、ワイヤレス通信デバイス上で実行する方法の１つの実施形態に対するフローチャートである。
【発明の詳細な説明】
【００１３】
この記述において、用語“通信デバイス”、“ワイヤレスデバイス”、“ワイヤレス通信デバイス”、“ＰＴＴ通信デバイス”、“ハンドヘルドデバイス”、“移動デバイス”および“ハンドセット”は、区別なく使用される。用語“通話”および“通信”もまた、区別なく使用される。ここで使用するとき、用語“アプリケーション”は、実行可能な、および実行でない、ソフトウェアファイル、生データ、集合体データ、パッチおよび他のコードセグメントを包含するように向けられている。用語“例示的”は、開示する要素または実施形態が１つの例にすぎないことを意味し、ユーザの何らかの好みを示さない。さらに、同じ数字は、いくつかのビューにわたって同じ要素を指し、冠詞“１つの”および“その”は、説明の中で特にことわらない限り、複数の参照を含む。
【００１４】
図１は、本発明のシステム１０の１つの実施形態を図示し、システム１０は、移動電話機１２のようなワイヤレス通信デバイスが、ユーザプロファイルサーバ１６のような他のコンピュータデバイスとワイヤレスネットワーク１４を通して通信することを可能にする。ユーザプロファイルサーバ１６は、ワイヤレスネットワーク１４に対するワイヤレス通信ポータルまたは他のデータアクセスを通して、ワイヤレスデバイス１２、１８、２０、２２と選択的に対話して、デバイス１２、１８、２０、２２からユーザデータを収集し、ユーザプロファイルを発生させ、ユーザプロファイルをデバイス１２、１８、２０、２２に戻し、ユーザプロファイルデータベース２８中にユーザプロファイルを記憶させることができる。ユーザプロファイルサーバ１６と対話するために、ローカルエリアネットワーク（ＬＡＮ）２６のような他のネットワーク上に常駐しているアプリケーションサーバ３０および記憶装置３２のような他のコンピュータデバイスが、独占的にまたは同時に、ワイヤレス通信デバイス１２、１８、２０、２２に利用可能であり得る。
【００１５】
ここで示すように、ワイヤレスデバイスは、グラフィックディスプレイ１３を有するセルラ電話機１２、パーソナルデジタルアシスタント１８、ＲＩＭによるブラックベリー（登録商標）のようなクワーティ機能を有するワイヤレスデバイスとしてここで示されている、グラフィックディスプレイを有する移動電子メールデバイス２０、あるいは、ワイヤレス通信ポータルを有する、さもなければネットワークまたはインターネットに対してワイヤード接続２４を有していてもよい、単独のコンピュータプラットフォーム２２とすることができる。したがって、システム１０は、限定的でないが、ワイヤレスモデム、ＰＣＭＣＩＡカード、アクセス端末、パーソナルコンピュータ、アクセス端末、ディスプレイまたはキーパッドを持たない電話機、あるいはこれらの任意の組み合わせまたは副組み合わせを含む、ワイヤレス通信ポータルを含む任意の形態のリモートのコンピュータモジュール上で実行できる。さらに、ここで使用するとき、用語“アプリケーション”は、実行可能な、および実行でない、ソフトウェアファイル、生データ、集合体データ、パッチおよび他のコードセグメントを包含するように向けられている。
【００１６】
概観において、システム１０は、ワイヤレス通信デバイス１２、１８、２０、２２のユーザから発生された特定のユーザプロファイルに基づいて、ワイヤレス通信デバイス１２、１８、２０、２２がそれらの機能を変更することを可能にする。システム１０はまた、ワイヤレス通信デバイス１２、１８、２０、２２が、他のワイヤレス通信デバイスとの対話の間に他のユーザに対するユーザプロファイルを生成させることを可能にする。以下でより十分に記述するように、少なくとも１つのワイヤレス通信デバイス１２、１８、２０、２２は、ワイヤレス通信デバイス１２、１８、２０、２２との物理的なユーザ対話からユーザデータを収集するように構成されており、ワイヤレス通信デバイスは、図３および４中で示す特定のＵＩのような、ユーザ対話に対する機能を有する。システム１０のこの実施形態において、ワイヤレス通信デバイス１２、１８、２０、２２は、ワイヤレス通信ネットワーク１４を通して、収集したユーザデータを、少なくともユーザプロファイルサーバ１６に選択的に送信する。ユーザプロファイルサーバ１６は、送信された収集ユーザデータを受信するように構成されており、受信した収集ユーザデータに基づいて、（ここで記述する性格プロファイルのような）ユーザプロファイルデータを生成させる。ユーザプロファイルサーバ１６は、送信ワイヤレス通信デバイス１２、１８、２０、２２に対してユーザプロファイルデータを送信し、ワイヤレス通信デバイス１２、１８、２０、２２は、受信したユーザプロファイルデータに基づいて、ワイヤレス通信デバイスの機能を変更できる。以下でさらに示すように、ユーザプロファイリングはまた、ワイヤレスコンピュータデバイス１２、１８、２０、２２において完全に発生できる。
【００１７】
特に図２中で示すように、ここで具現するワイヤレス通信デバイスは、コンピュータプラットフォーム６２を有する移動電話機５０である。移動電話機５０は、数字キーパッド５２、ユーザインターフェース（ＵＩ）を実現するグラフィックディスプレイ５４、マイクロフォン５８、グループ通信アクティベータすなわちここではプッシュツートークボタン５６、およびカメラ６０を有する。ワイヤレス通信コンピュータプラットフォーム６２上に配置でき、移動電話機５０のユーザおよび／またはコンピュータプラットフォーム６２によって利用できる、技術的に知られている他のデバイスおよびコンポーネントがある。
【００１８】
コンピュータプラットフォーム６２は、アプリケーションダウンロードサーバ３０から送信されるソフトウェアアプリケーションを受信および実行できる。コンピュータプラットフォーム５０は、とりわけ、特定用途向け集積回路（“ＡＳＩＣ”）６８または他のプロセッサ、マイクロプロセッサ、論理回路、プログラマブルゲートアレイ、あるいは他のデータ処理デバイスを含む。ＡＳＩＣ６８は、ワイヤレスデバイスの製造時にインストールされており、通常更新できない。ＡＳＩＣ６８または他のプロセッサは、アプリケーションプログラミングインターフェース（“ＡＰＩ”）層６６を実行し、アプリケーションプログラミングインターフェース（“ＡＰＩ”）層６６は、ワイヤレスデバイスのメモリ６４中の任意の常駐プログラムとインターフェースする。メモリは、読み出し専用メモリまたはランダムアクセスメモリ（ＲＡＭおよびＲＯＭ）、ＥＰＲＯＭ、ＥＥＰＲＯＭ、フラッシュカード、あるいはコンピュータプラットフォームに共通の任意のメモリで構成できる。コンピュータプラットフォーム６２はまた、ローカルデータベース７０を含み、ローカルデータベース７０は、アプリケーションダウンロードサーバ３０からダウンロードされるソフトウェアアプリケーションのような、アクティブに使用されないソフトウェアアプリケーションをメモリ６４中に保持できる。ローカルデータベース７０は一般に、１つ以上のフラッシュメモリで構成されるが、磁気媒体、ＥＰＲＯＭ、ＥＥＰＲＯＭ、光学媒体、テープ、あるいはソフトまたはハードディスクのような、技術的に知られている任意の２次または３次の記憶デバイスとすることができる。それゆえに、ユーザプロファイリングは、ローカルデータベース７０中に保持でき、必要なときにコンピュータプラットフォーム６２上で実現できる。
【００１９】
一般に、セルラ電話機５０のような、移動電話機および電気通信デバイスは、計算能力の向上とともに製造されており、パーソナルコンピュータおよびハンドヘルドパーソナルデジタルアシスタント（“ＰＤＡ”）と同等になりつつある。これらの“スマートな”セルラ電話機により、ソフトウェアの開発者は、ダウンロード可能であり、セルラデバイスのＡＳＩＣ６８のようなプロセッサ上で実行可能であるソフトウェアアプリケーションを生成することが可能になる。ダウンロードされるデータまたは実行されるアプリケーションは、ディスプレイ５４上で直ちに表示でき、または、使用中でないときローカルデータベース７０において記憶できる。さらに、アプリケーションは、ユーザに対して自動的に、またはトランスペアレントに実行できる。ソフトウェアアプリケーションは、ワイヤレスデバイス１２、１８、２０、２２上に常駐のレギュラーのソフトウェアアプリケーションとして取り扱うことができ、ユーザは、ＡＰＩ６６上での実行のために、ローカルデータベース７０からメモリ６４に、記憶されている常駐アプリケーションを選択的にアップロードできる。ワイヤレスデバイス１２、１８、２０、２２のユーザはまた、ローカルデータベース７０からソフトウェアアプリケーションを選択的に削除できる。結果として、移動電話機５０のエンドユーザは、ゲーム、印刷媒体、株の更新、ニュース、あるいは、ワイヤレスネットワーク１４を通して、アプリケーションダウンロードサーバからダウンロード可能な、他の任意のタイプの情報またはプログラムをカスタマイズできる。
【００２０】
動作において、ワイヤレス通信デバイス１２、１８、２０、２２は、ユーザに一連の質問をするような対話から、ユーザから直接ユーザデータを収集し、および／または、例えば、カメラ６０およびマイクロフォン５８のような検出装置によって、ユーザを観測し、データを解釈できる。ワイヤレス通信デバイス１２、１８、２０、２２はまた、直接の接続によって、またはインターネットを通して、ユーザプロファイルサーバ２８またはワイヤレス通信デバイス１２、１８、２０、２２のような別のデバイスからユーザに関するデータを集めることができる。性格プロファイル、心理学的タイプ、医療診断、または感情の状態のようなユーザプロファイルを発生させる目的のために、ユーザデータは、定期的に、集められ、更新されるのが好ましい。ユーザプロファイルは、現在の通信において収集されるユーザデータに対するもののような、“短期間”に対するものとすることができ、または、ユーザ対話の履歴に基づく、“長期間”に対するものとすることができる。ワイヤレス通信デバイス１２、１８、２０、２２のエンドユーザに対して、最も適合し、愉快であり、生産的であるユーザ体験を提供するために、ユーザプロファイルは、他の設定データによる補助において使用できる。ここで使用するとき、用語“物理的対話”は、デバイスボタン、キーパッド５２との物理的接触、および他の直接の接触のような、ユーザ対話の範囲を包含することになっており、カメラ６０から取得される写真、またはリモートのイヤホン１０４のような医療デバイスから取得される医療情報、音声音量、スピーチパターンおよびこれらに類似するもののような、ワイヤレスデバイス１２、１８、２０、２２によって感知される、ユーザからのデータを包含することもできる。
【００２１】
一例として、移動電話機５０のようなワイヤレス通信デバイスは、複数のＵＩ設定をサポートし、それらの設定内に、複数の可能なダイアログ、機能、アプリケーションおよびコンテキストを有する能力を有する。移動電話機５０は、ＰＩＮ番号のようなユーザ入力を介して、そのユーザを認識することができ、指紋読取り器、音声パターン認識または顔認識（マイクロフォン５８、カメラ６０）のようなバイオメトリックデータを使用でき、または、ユーザの識別を要求できる。デバイスは、（図５中で図示するＵＩ設定のような）ユーザの性格に適合し、調和した、視覚および言葉のＵＩ情報を、その使用のためにユーザに提示する。ワイヤレス通信デバイス１２、１８、２０、２２は、より多くの共通のＵＩの動作に加えて、ユーザの性格に基づいて、特定のアプリケーションまたは動作を実行するだろう。それゆえに、移動電話機５０は、ユーザの性格および何らかの状況データ（カメラ６０、マイクロフォン５８、または他の任意のセンサーからの入力）に適合し、調和した、ユーザに対するアプリケーションを活用できる。ワイヤレス通信デバイス１２、１８、２０、２２はまた、ユーザプロファイルサーバ１６と直接通信し、それゆえに、ユーザインターフェースまたは他のデバイスの機能によって活用される、多くのタイプのプロファイルまたはスコアを発生させるために利用可能な重要なリソースを有することができ、例えば、スコアは、性格スコア、知能指数（ＩＱ）スコア、文化的スコア、および宗教のスコアのようなものである。
【００２２】
ワイヤレス通信デバイス１２、１８、２０、２２、ユーザプロファイルサーバ１６、またはワイヤレスネットワーク１４上の他のデバイスのような、他のコンピュータデバイスと、ユーザプロファイルを記憶するワイヤレス通信デバイス１２、１８、２０、２２に接続しているそれらのデバイス上のアプリケーションは、起呼加入者またはアプリケーションを支援して、ユーザとより良く通信するために、ユーザプロファイルに選択的にアクセスできる。データにアクセスするための許可は、システム１０によって制限でき、または、ユーザの許容によってのみ許され得る。
【００２３】
人間の挙動に１つの洞察を与える、いくつかの既知の性格検査があり、システム１０およびワイヤレスデバイス１２、１８、２０、２２は、収集されたユーザデータを、個々にまたは連係して取得し、ユーザに対して性格検査を実行してユーザの好みおよび挙動の決定を試みることができる。例えば、１つのよく知られている性格検査は、“Ｍｙｅｒｓ Ｂｒｉｇｇｓ”性格検査である。簡単な概観において、検査され、評価される、４つの性格のカテゴリがある。第１のものは、“内向性”および“外向性”である。これらの態度は、人間がどの方向を向き、それらのエネルギーを受け取るかを示す。外向的態度において、エネルギーの流れは外向きであり、優先される焦点は、他の人および物に合わされるのに対して、内向的態度においては、エネルギーの流れは内向きであり、優先される焦点は、その人自身の思考および観念に合わされる。
【００２４】
別の態度は、“感覚”および“直観”であり、これらは知覚機能である。それらは、人間がデータをどのように受け取ることを好むかを示す。感覚は五感から主としてデータを受け取ることを好み、直観は、無意識からデータを受け取ること、または、洞察によって関係を理解することを好む。第３の態度は、“思考”および“感情”であり、これらは判断機能である。思考は、論理“真または偽”、ｉｆ−ｔｈｅｎ論理接続を使用する。感情は、“多かれ少なかれ、より良い−いっそう悪い”評価を使用する。思考および感情が外向的であるとき、判断は、外部の源および一般に受け入れられているルールおよび手続きに依存する傾向にある。内向的であるとき、思考および感情の判断は、論理構成および評価に対する、内的に発生される観念に依存し、主観的である傾向にある。第４の態度は、“判断”および“知覚”であり、これらは、機能の特定の態度を示す。判断タイプは、外部のルールおよび手続きに依存し、素早い終結を好む、人生に対する段階的なアプローチを好む傾向がある。知覚機能は、判断機能と全く反対である。これは、主観的な判断と、すべての選択肢を開放したままにしておく願望とに依存する、人生に対する“考えて討議する”アプローチを結果として生じ得る。４つの態度は、図５中で示すようなチャートに配置でき、結果的に、ワイヤレス通信デバイス１２、１８、２０、２２は、ユーザがどのような性格であると信じられるかに基づいて、デバイスの機能を設定できる。図５中のチャートは、すべての可能な１６のＭｙｅｒｓ Ｂｒｉｇｇｓ性格タイプに対する、デバイスのＵＩの予め定められている設定を含む。
【００２５】
図３の例において示すように、移動電話機５０のディスプレイ５４は、移動電話機５０のユーザに対する、決定されたユーザプロファイルを示すことができ、ここでは、ユーザに対する、Ｂｒｉｇｇｓ Ｍｙｅｒｓ性格評価である。ユーザは、矢印８２において示すように、ＩＮＴＪであると決定されており、それに応じて、デバイスの機能は矢印８４において示すように設定される（図５中のボックス８６）。このユーザプロファイルは、ワイヤレス通信デバイス１２、１８、２０、２２との、長期間のユーザの対話に基づくものとすることができ、または、図４中で示した会話におけるように、短期間で更新できる。同様に、図８に関して以下で示し、記述するように、通信デバイスの別のユーザに対して、同じユーザプロファイルを発生させることができる。
【００２６】
図４において、アクティブな通信が、移動電話機９０と移動ワイヤレスプラットフォーム１００との間で発生しており、会話にかかわっている話し手の感情がプロファイルされ、プロファイルが他のデバイスに伝達され、それにより、デバイスのユーザが、他のユーザの感情の状態がどのようであるかを知る。移動電話機９０は、ディスプレイ９２とカメラ９４とを含む。移動ワイヤレスプラットフォーム１００は、ディスプレイ１０２と、さらにリモートのイヤホン１０４とを含む。この実施形態において、リモートのイヤホン１０４はまた、着用者（ユーザ）の血圧を感知する医療診断デバイスを含む。実質上リアルタイムで感情がプロファイルされていることから、この実施形態において、この通信におけるユーザプロファイリングは一般に、短期間に発生する。ここで受信しているデバイスは移動電話機９０であり、話者である、移動ワイヤレスプラットフォーム１００は、怒っているものとして示され、それは、グラフィック９６において移動電話機９０上で示される。ここで、怒っている表示は、リモートのイヤホン１０４においてユーザから取得された血圧データから生じ、移動ワイヤレスプラットフォーム１００は、怒っているプロファイルを移動電話機９０に送る。
【００２７】
同時に、移動電話機９０は、マイクロフォン９８から、話しているユーザからのユーザデータを収集し、音声を分析して、ストレスを示すことができ、ストレスは神経質を含意する。神経質プロファイルは移動デバイス９０から移動ワイヤレスプラットフォーム１００に送られる。グラフィック１０６において示すように、移動ワイヤレスプラットフォーム１００のディスプレイ１０２上で、受信者が臆病になっているとして示される。他のデバイスに送られているプロファイルと、他のデバイスからのプロファイルとの両方を、デバイスのユーザが見るように、そのような提示は、分割スクリーンで実施できる。
【００２８】
それゆえに、ユーザデータの収集は、話し手の音声の音量や、ユーザが（図２中のキーパッド入力５２のような）キーを押すために使用する圧力や、（カメラ６０におけるような）ユーザの写真のような、ユーザによってワイヤレス通信デバイスに入力される短期間のデータ、の解釈に基づくことができる。ワイヤレス通信デバイス１２、１８、２０、２２が、図４中のリモートのイヤホンのような医療診断デバイスを含む場合、短期間のプロファイルは、収集した医療データに基づく、医療診断プロファイル、あるいは他の感情または性格プロファイルとすることができる。短期間のユーザデータの収集はまた、ユーザの直接のアンケートのような、ユーザによってワイヤレス通信デバイス１２、１８、２０、２２に入力されるデータの解釈に基づくことができる。
【００２９】
ユーザデータの収集はまた、ワイヤレス通信デバイス１２、１８、２０、２２との、長期間のユーザ対話に基づくことができる。例えば、ユーザデータの収集は、ワイヤレス通信デバイス１２、１８、２０、２２中に常駐しているコンタクトリストの解釈に、または、ワイヤレス通信デバイスに対する１つ以上の通信グループのメンバーの数の解釈に基づくことができる。結果的に、大多数のコンタクトまたはグループ通信のメンバーは、Ｍｙｅｒｓ Ｂｒｉｇｇｓ性格検査の観点からいえば、外向性を示すだろう。ワイヤレス通信デバイス１２、１８、２０、２２との、ユーザの長期間の対話は、ユーザのプロファイルをより適切に決定するように平均をとられている、短期間において収集された任意の収集データに基づくことができる。以下で記述するように、短期間の比較および長期間の比較のユーザプロファイルを比較して、短期間プロファイルにおいて支援または援助することができる。例えば、ユーザが常に叫んでいる場合、短期間における叫びは怒りを示さないはずである。
【００３０】
図６中で示す１つの実施形態において、ワイヤレス通信デバイス１２、１８、２０、２２は、ユーザに対してユーザプロファイルをローカルに発生させることができるように、それらのコンピュータプラットフォーム６２上で方法を実行する。判断１２２において示すように、ワイヤレス通信デバイス１２、１８、２０、２２との、ユーザの対話が開始しているかどうかに関する決定がなされる。ワイヤレス通信デバイス１２、１８、２０、２２とのユーザ対話が開始していない場合、ユーザ対話が開始するまで待ち状態に入る。そうでなくて、判断１２２において、ユーザ対話が開始している場合、判断１２４において示すように、ユーザが既知であるかどうかに関する決定がなされる。判断１２４において、ユーザが既知である場合、ステップ１２６において示すように、ユーザプロファイルが取得される。そうでなくて、判断１２４においてユーザが既知でない場合、ステップ１２８において示すように、ユーザデータが収集され、予め規定されているプロセス１３０において示すように、ユーザプロファイルが発生され、ユーザプロファイルは、性格プロファイル、感情の状態、医療プロファイルおよびこれらに類似するものとすることができる。次に、判断１３２において示すように、ユーザプロファイルに基づく、ワイヤレスデバイスに対するユーザプロファイルの設定があるかどうかに関する決定がなされる。ユーザプロファイルがステップ１２６において取得された場合、判断１３２に到達する。判断１３２において、ユーザに対する設定がない場合、終端１３６のように、プロセスは終了する。そうでなくて、判断１３２においてユーザプロファイルに対する設定がある場合、予め規定されているプロセス１３４において示すように、ワイヤレス通信デバイス１２、１８、２０、２２の設定が変更され、プロセスが終端１３６において終了する。
【００３１】
図７Ａおよび７Ｂは、ワイヤレス通信デバイス１２、１８、２０、２２から、図７Ｂ中で示したプロセスを実行しているユーザプロファイルサーバ１６のような別のコンピュータデバイスにユーザデータを送って、他のコンピュータデバイスからユーザプロファイルを戻すように受信する方法の１つの実施形態を図示する。判断１５０において示すように、ワイヤレス通信デバイス１２、１８、２０、２２は、そのデバイスのユーザとの対話が開始していることを決定する。これは、ユーザが個人識別番号により電話機をアンロックするか、あるいは、電話をかけるコンタクトを、またはグループ通話を実施するためのＰＴＴグループを選ぶことのようなデバイス機能により対話を開始するものとすることができる。判断１５０において、ユーザの対話が開始していない場合、ユーザの対話が開始するまで、待ち状態に入る。１５０において、ユーザの対話が開始している場合、ワイヤレス通信デバイス１２、１８、２０、２２は、ユーザプロファイルサーバ１６からの、ユーザに対するユーザプロファイルを要求し、ユーザプロファイルサーバ１６は、図７Ｂで示したプロセスに入るだろう。ユーザは、個人識別番号入力、取得される写真、取り込まれる音声およびこれらに類似するものに基づいて識別されているような、いくつかの特異性により決定されることが好ましいが、ユーザがワイヤレス通信デバイス１２、１８、２０、２２の所有者であるか、または最後のユーザであると仮定するように、プロセスはユーザの識別を単純に仮定することができる。
【００３２】
判断１５４において示すように、ワイヤレス通信デバイス１２、１８、２０、２２に関する、図７Ａ中のプロセスは、ユーザプロファイルがユーザに対して受信されているかどうかに関する決定を実施する。判断１５４において、ユーザプロファイルが受信されている場合、予め規定されているプロセス１６０において示すように、ワイヤレスデバイスの機能の設定が変更され、例えば、ＵＩ、スクリーンの提示、デバイスの音量およびこれらに類似するものが変更され、プロセスは次に、終端１６２において終了し、ワイヤレス通信デバイス１６２は、判断１６２において別のユーザ対話を待つだろう。判断１５４において、ユーザプロファイルが受信されていない場合、ワイヤレス通信デバイス１２、１８、２０、２２は、（ここでのさまざまな実施形態において記述するように）ユーザデータを収集し、ステップ１５８において示すように、収集したユーザデータをユーザプロファイルサーバ１６に送り、ユーザプロファイルサーバ１６からユーザプロファイルを最終的に戻すように受信するまでユーザデータを収集し、送る、判断１５４におけるループに入る。
【００３３】
図７Ｂにおいて、ワイヤレス通信デバイス１２、１８、２０、２２と通信するユーザプロファイルサーバ１６におけるプロセスを示す。判断１７６において示すように、ユーザプロファイルサーバ１６は、ワイヤレス通信デバイス１２、１８、２０、２２がユーザプロファイルを要求しているかどうかを決定し、要求がなされていない場合、判断１７６において、ユーザプロファイルサーバ１６は、要求に対する待ち状態に入るだろう。そうでなくて、判断１７６において、いったんユーザプロファイルが要求されていると、判断１７２において示すように、ユーザプロファイルが要求されるユーザが既知であるかどうかに関する決定がなされる。ユーザが既知である場合、ステップ１７４において示すように、ユーザプロファイルが取得され、ワイヤレス通信デバイス１２、１８、２０、２２に戻すように送られる。そうでなくて、判断１７２において、ユーザがユーザプロファイルサーバに知られていない場合、ユーザプロファイルサーバ１６は、ワイヤレス通信デバイス１２、１８、２０、２２にユーザプロファイルを送らず、それにより、図７Ａ中で示すように、そのデバイスは、ユーザデータを収集することを開始し、ユーザデータを送り、ステップ１７６において示すように、ユーザプロファイルサーバ１６は、収集されたユーザデータを受信し、次に、予め規定されているプロセス１７８として示すように、受信したユーザデータに対するユーザプロファイルを発生させる。ユーザプロファイルサーバ１６は次に、ワイヤレス通信デバイス１２、１８、２０、２２に対して、発生したユーザプロファイルを戻すように送り、また、ステップ１８０において示すように、ユーザプロファイルを記憶し、次に、終端１８２において示すように、プロセスが終了する。ステップ１８０にける、発生したユーザプロファイルの記憶は、ユーザプロファイルのデータベースを生成させることが好ましいが、欠かせないものではない。
【００３４】
図８は、ワイヤレス通信デバイス１２、１８、２０、２２上で実行する方法の１つの実施形態に対するフローチャートであり、方法により、そのワイヤレス通信デバイス１２、１８、２０、２２と通信しているデバイスのユーザに対して、記憶されているユーザプロファイルを示すことが可能なるか、または、例えば、通信にかかわっている、図４中のワイヤレス通信デバイス９０および１００において、短期間のプロファイルを代わりに発生させ、表示できる。判断１９０において示すように、ワイヤレス通信デバイス１２、１８、２０、２２は、別のデバイスとの通信が開始しているかどうかを決定し、要求がなされていない場合、判断１７６において、ワイヤレス通信デバイス１２、１８、２０、２２は、開始する通信に対する待ち状態に入る。そうでなくて、判断１９０において、いったん通信が開始していると、判断１９２において示すように、他の通信デバイスに対するユーザが既知であるかどうかに関する決定がなされる。ユーザが既知である場合、ステップ１９６において示すように、他のユーザに対するユーザプロファイルが、例えば、移動電話機９０のディスプレイ９２上で表示される。そうでなくて、判断１９２において、ユーザが既知でない場合、または、通信しているユーザのユーザプロファイルが表示された（ステップ１９６）後、判断１９８において示すように、他のユーザの短期間のプロファイルが要求されているかどうかに関する決定がなされる。
【００３５】
判断１９８において、短期間のプロファイルが要求されていない場合、判断２０６において示すように、通信が終了しているかどうかに関する決定がなされる。そうでなくて、判断１９８において、短期間のプロファイルが、ワイヤレス通信デバイス１２、１８、２０、２２のユーザによって要求されている場合、ステップ２００において示すように、ユーザデータが、通信しているデバイスに対して収集され、ユーザデータは、通話者の音声、通話者の写真およびここで記述するように送られる他の医療データのようなデータとすることができ、または、代わりに、通信しているデバイスから送られる、特定のユーザプロファイルのレビューとすることができる。次に、予め規定されているプロセス２０２において示すように、短期間のユーザプロファイルが発生され、例えば、移動電話機９０上のディスプレイ９２上で、短期間のプロファイルが表示される。短期間のプロファイルは、図４中で示したような感情の状態、または（Ｍｙｅｒｓ−Ｂｒｉｇｇｓタイプのような）性格プロファイル、心理学的プロファイルまたは医療情報とすることができる。予め定められているプロセス２０２は、ユーザに対する長期間のプロファイルの取得、および、長期間のプロファイルデータと、何らかの変則を示す短期間のデータとの比較を含むことができ、何らかの変則は、例えば、ユーザが常に叫んでいるときに叫ぶこと、またはユーザが常にしかめつらをしているときにしかめつらをすることのようなものである。より正確な長期間のユーザプロファイルを作成するために、比較からのそのような調和データを記憶することもできる。
【００３６】
ステップ２０４において、短期間のプロファイルが表示されていた後、判断２０６において、通信が終了しているかどうかに関する決定がなされる。判断２０６において、通信が終了していない場合、短期間のユーザプロファイルがまだ要求されているかどうかを決定するために、プロセスは、判断１９８に戻り、次に、それに応じて、短期間のプロファイルを更新するだろう。そうでなくて、判断２０６において、通信が終了している場合、終端２０８において示すように、プロセスは終了する。
【００３７】
ここで示す、システム１０および方法における他の変更が、当業者に明らかになるだろう。例えば、図７Ａおよび７Ｂ中で示した方法に類似して、図８中のワイヤレス通信デバイス１２、１８、２０、２２に関して示した方法は、同様にユーザプロファイルサーバ１６とともに実現できるが、ユーザプロファイルサーバ１６は、ワイヤレス通信デバイス１２、１８、２０、２２に短期間のユーザプロファイルを供給する。さらに、本システムおよび方法において、２つより多いコンピュータデバイスを使用でき、結果的に、そのような構成は、容易にスケーラブルである。例えば、グループ通信（ＰＴＴ通話）において、ワイヤレス通信デバイス１２、１８、２０、２２はまた、すぐに、多くの通信しているデバイスと、それらのユーザプロファイルとを示すことができる。
【００３８】
したがって、１つの実施形態において、ワイヤレス通信デバイス１２、１８、２０、２２との物理的なユーザ対話からユーザデータを収集することにより、または、代わりに、ユーザデータは、ユーザプロファイルサーバ１６のような、ワイヤレス通信デバイス１２、１８、２０、２２と通信する別のコンピュータデバイスから生じ得ることにより、ワイヤレス通信デバイス１２、１８、２０、２２が、ワイヤレス通信デバイス１２、１８、２０、２２のユーザをプロファイルし、ともすればユーザプロファイルに基づいてワイヤレス通信デバイスの機能を変更する、発明の方法を提供することが理解できる。ユーザプロファイルは、収集したユーザデータに基づいて生成され、ワイヤレス通信デバイスの機能が、収集したユーザデータに基づいて変更される。代わりに、図３中のディスプレイ５４において示すように、ユーザプロファイルをユーザに対して表示できる。
【００３９】
ユーザデータの収集は、図８中で示したように、ユーザによってワイヤレス通信デバイス１２、１８、２０、２２に入力される短期間のデータの解釈に基づくことができ、代わりに、ある期間にわたって、ユーザによってワイヤレス通信デバイス１２、１８、２０、２２に入力される長期間のデータの解釈に基づくことができ、長期間のデータは、データ中の変則が削除されている、より正確なユーザプロファイルを提供できる。ユーザデータの収集は、マイクロフォン９８において話すこと、カメラ９４によって写真を撮ることによるような、または、さらには、リモートのイヤホン１０４のような医療デバイスからのような、ワイヤレス通信デバイス１２、１８、２０、２２の１つ以上のデータ入力メカニズムとのユーザの物理的対話の解釈に基づいている。
【００４０】
移動デバイスおよび他のコンピュータプラットフォーム上で実行可能である方法のビューにおいて、方法は結果的に、コンピュータ読み取り可能媒体中に常駐しているプログラムによって実行でき、プログラムは、コンピュータプラットフォームを有する移動デバイスまたは他のコンピュータデバイスに命令して、方法のステップを実行させる。コンピュータ読み取り可能媒体は、サーバのメモリとすることができ、または、連結性データベースにおけるものとすることができる。さらに、コンピュータ読み取り可能媒体は、ワイヤレス通信デバイスのコンピュータプラットフォームにロード可能な二次記憶媒体におけるものとすることができ、二次記憶媒体は、磁気ディスクまたはテープ、光ディスク、ハードディスク、フラッシュメモリ、または技術的に知られている他の記憶媒体のようなものである。
【００４１】
１つ以上の例示的な実施形態において、ここで記述した機能は、ハードウェア、ソフトウェア、ファームウェアまたはこれらの任意の組み合わせにおいて実現してもよい。ソフトウェアにおいて実現される場合、１つ以上の命令またはコードとして、機能をコンピュータ読み取り可能媒体上に記憶してもよく、またはそれに対して送信してもよい。コンピュータ読み取り可能媒体は、コンピュータ記憶媒体と通信媒体との両方を含み、通信媒体は、１つの場所から別の場所にコンピュータプログラムの転送を容易にする任意の媒体を含んでいる。記憶媒体は、コンピュータによってアクセスできる任意の利用可能な媒体であってもよい。一例として、限定ではないが、そのようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムを搬送または記憶するために使用でき、コンピュータによってアクセスできる他の任意の媒体を備えることができる。さらに、何らかの接続が、適切にコンピュータ読み取り可能媒体と呼ばれる。例えば、同軸ケーブル、光ファイバケーブル、ツイストペア、デジタル加入者回線（ＤＳＬ）、または、赤外線や、無線や、マイクロ波のようなワイヤレス技術を使用して、ソフトウェアが、ウェブサイト、サーバ、または他のリモートの情報源から送信される場合、同軸ケーブル、光ファイバケーブル、ツイストペア、ＤＳＬ、または、赤外線や、無線や、マイクロ波のようなワイヤレス技術は、媒体の定義に含まれる。ここで使用するとき、ディスク（Ｄｉｓｋおよびｄｉｓｃ）は、コンパクトディスク（ＣＤ）と、レーザーディスク（登録商標）と、光ディスクと、デジタルバーサタイルディスク（ＤＶＤ）と、フロッピー（登録商標）ディスクと、ブルーレイディスクとを含み、ディスク（ｄｉｓｋ）は通常、磁気的にデータを再生するが、一方ディスク（ｄｉｓｃ）は、レーザにより光学的にデータを再生する。上記の組み合わせもまた、コンピュータ読み取り可能媒体の範囲内に含まれるべきである。
【００４２】
本発明を、それらの好ましい実施形態に関して、特に示し、記述してきたが、特許請求の範囲で示すような、本発明の範囲から逸脱することなく、形態および詳細におけるさまざまな変更を実施してもよいことが、当業者によって理解されるであろう。さらに、本発明の要素は、単数形で記述または主張されているかもしれないが、単数形への限定を明示的に述べていない限り、複数形が考えられる。
【図１】
2010531121.tif 000003
【図２】
2010531121.tif 000004
【図３】
2010531121.tif 000005
【図４】
2010531121.tif 000006
【図５】
2010531121.tif 000007
【図６】
2010531121.tif 000008
【図７】
2010531121.tif 000009
【図８】
2010531121.tif 000010
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
ワイヤレス通信デバイスのユーザをプロファイルし、前記ユーザのプロファイルに基づいて、前記ワイヤレス通信デバイスの機能を変更する方法において、
ユーザ対話に対する機能を有する前記ワイヤレス通信デバイスとの物理的なユーザ対話が開始しているかどうかを決定することと、
前記物理的なユーザ対話からユーザデータを収集することと、
前記収集したユーザデータに基づいて、ユーザプロファイルを生成させることと、
前記収集したユーザデータに基づいて、前記ワイヤレス通信デバイスの機能を変更することとを含む方法。
【請求項２】
前記ユーザデータを収集することは、前記ユーザによって前記ワイヤレス通信デバイスに入力されるデータの解釈に基づいている請求項１記載の方法。
【請求項３】
前記ユーザデータを収集することは、前記ユーザによって前記ワイヤレス通信デバイスに入力される短期間のデータの解釈に基づいている請求項１記載の方法。
【請求項４】
前記ユーザデータを収集することは、前記ユーザによって前記ワイヤレス通信デバイスに入力される長期間のデータの解釈に基づいている請求項１記載の方法。
【請求項５】
前記ユーザデータを収集することは、前記ワイヤレス通信デバイスに常駐しているコンタクトリストの解釈に基づいている請求項１記載の方法。
【請求項６】
前記ユーザデータを収集することは、前記ワイヤレス通信デバイスに対する１つ以上の通信グループのメンバーの数の解釈に基づいている請求項１記載の方法。
【請求項７】
前記ユーザデータを収集することは、前記ワイヤレス通信デバイスの１つ以上のデータ入力メカニズムとの、ユーザの物理的対話の解釈に基づいている請求項１記載の方法。
【請求項８】
前記ユーザデータを収集することは、前記ワイヤレス通信デバイスのユーザの取得された物理的情報に基づいている請求項１記載の方法。
【請求項９】
前記ワイヤレス通信デバイスはカメラを含み、前記ユーザデータを収集することは、前記ワイヤレス通信デバイスのユーザの取得された写真の解釈に基づいている請求項８記載の方法。
【請求項１０】
前記ワイヤレス通信デバイスは音声入力を含み、前記ユーザデータを収集することは、前記ワイヤレス通信デバイスに話している前記ユーザのスピーチ音量の解釈に基づいている請求項８記載の方法。
【請求項１１】
前記ワイヤレス通信デバイスは、１つ以上の医療診断ツールを含み、前記ユーザデータを収集することは、前記１つ以上の医療診断ツールによって、前記ワイヤレス通信デバイスのユーザに対して収集された医療データの解釈に基づいている請求項１記載の方法。
【請求項１２】
前記ユーザプロファイルを生成させることは、前記収集したユーザデータの心理学的評価を実行することである請求項１記載の方法。
【請求項１３】
前記ユーザプロファイルを生成させることは、前記収集したユーザデータに基づいて医療診断を作成することである請求項１１記載の方法。
【請求項１４】
前記ユーザプロファイルを生成させることは、前記ワイヤレス通信デバイスにおいて発生する請求項１記載の方法。
【請求項１５】
前記ワイヤレス通信デバイスは、ワイヤレス通信ネットワークを通して１つ以上のコンピュータデバイスと通信し、前記方法は、
前記ワイヤレス通信ネットワークを通して、前記ワイヤレス通信デバイスからコンピュータデバイスに、前記収集したユーザデータを送ることと、
前記コンピュータデバイスから前記送信ワイヤレス通信デバイスに前記ユーザプロファイルを送ることとを含み、
前記ユーザプロファイルを生成させることは、前記コンピュータデバイスにおいて発生する請求項１記載の方法。
【請求項１６】
前記ワイヤレス通信デバイスはグラフィックユーザインターフェース（ＧＵＩ）を含み、前記ワイヤレス通信デバイスの機能を変更することは、前記ワイヤレス通信デバイスのＧＵＩを変更することである請求項１記載の方法。
【請求項１７】
ユーザプロファイルに基づくワイヤレス通信デバイスの機能を有するワイヤレス通信デバイスにおいて、
前記ワイヤレス通信デバイスとの物理的なユーザ対話が開始しているかどうかを決定する手段と、
前記ワイヤレス通信デバイスとの物理的なユーザ対話からユーザデータを収集する手段と、
前記収集したユーザデータに基づいて、ユーザプロファイルを生成させる手段と、
前記収集したユーザデータに基づいて、前記ワイヤレス通信デバイスの機能を変更する手段とを具備するワイヤレス通信デバイス。
【請求項１８】
前記ユーザデータに基づいて、心理学的プロファイルを発生させる手段をさらに具備する請求項１７記載のデバイス。
【請求項１９】
前記ワイヤレス通信デバイスのユーザの医療診断データを収集する手段をさらに具備する請求項１７記載のデバイス。
【請求項２０】
前記収集したユーザデータに基づいて、医療診断を発生させる手段をさらに具備する請求項１９記載のデバイス。
【請求項２１】
ワイヤレス通信ネットワークにおけるワイヤレス通信デバイスに対して前記ワイヤレス通信デバイスの機能を変更するシステムであって、前記変更は、前記ワイヤレス通信デバイスのユーザのユーザプロファイルに基づいているシステムにおいて、
前記ワイヤレス通信デバイスとの物理的なユーザ対話が開始しているかどうかを決定し、前記ワイヤレス通信デバイスとの物理的なユーザ対話からユーザデータを収集するように構成され、ユーザ対話に対する機能を有し、前記ワイヤレス通信ネットワークを通して、前記収集したユーザデータを選択的に送信するようにさらに構成されている少なくとも１つのワイヤレス通信デバイスと、
前記送信された収集ユーザデータを受信するように構成され、前記受信した収集ユーザデータに基づいて、ユーザプロファイルデータを生成させ、前記少なくとも１つのワイヤレス通信デバイスに対して前記ユーザプロファイルデータを送信するようにさらに構成されている少なくとも１つのコンピュータデバイスとを具備し、
前記ワイヤレス通信デバイスは、前記受信したユーザプロファイルデータに基づいて、前記ワイヤレス通信デバイスの機能を変更するようにさらに構成されているシステム。
【請求項２２】
前記ユーザプロファイルデータは、前記ワイヤレス通信デバイスの特定の、ワイヤレスデバイスの機能を含み、前記少なくとも１つのワイヤレス通信デバイスは、前記受信したユーザプロファイルデータに基づいて、前記ワイヤレス通信デバイスの機能を変更するようにさらに構成されている請求項２１記載のシステム。
【請求項２３】
前記少なくとも１つのコンピュータデバイスは、前記ユーザプロファイルデータを記憶するようにさらに構成されている請求項２１記載のシステム。
【請求項２４】
前記ユーザデータを収集することは、前記ユーザによって前記ワイヤレス通信デバイスに入力されるデータの解釈に基づいている請求項２１記載のシステム。
【請求項２５】
前記ユーザデータを収集することは、前記ユーザによって前記ワイヤレス通信デバイスに入力される短期間のデータの解釈に基づいている請求項２１記載のシステム。
【請求項２６】
前記ユーザデータを収集することは、前記ユーザによって前記ワイヤレス通信デバイスに入力される長期間のデータの解釈に基づいている請求項２１記載のシステム。
【請求項２７】
前記ユーザデータを収集することは、前記ワイヤレス通信デバイスに常駐しているコンタクトリストの解釈に基づいている請求項２１記載のシステム。
【請求項２８】
前記ユーザデータを収集することは、前記ワイヤレス通信デバイスに対する１つ以上の通信グループのメンバーの数の解釈に基づいている請求項２１記載のシステム。
【請求項２９】
前記ワイヤレス通信デバイスは、１つ以上のデータ入力メカニズムを含み、前記ワイヤレス通信デバイスは、前記ユーザによって前記データ入力メカニズムに入力されるデータの解釈に基づいて、ユーザデータを発生させるようにさらに構成されている請求項２１記載のシステム。
【請求項３０】
前記ユーザデータを収集することは、前記ワイヤレス通信デバイスのユーザの取得された物理的情報に基づいている請求項２１記載のシステム。
【請求項３１】
前記ワイヤレス通信デバイスはカメラを含み、前記ユーザデータを収集することは、前記ワイヤレス通信デバイスのユーザの取得された写真の解釈に基づいている請求項３０記載のシステム。
【請求項３２】
前記ワイヤレス通信デバイスは音声入力を含み、前記ユーザデータを収集することは、前記ワイヤレス通信デバイスに話している前記ユーザのスピーチ音量の解釈に基づいている請求項３０記載のシステム。
【請求項３３】
前記ワイヤレス通信デバイスは、１つ以上の医療診断ツールを含み、前記ユーザデータを収集することは、前記１つ以上の医療診断ツールによって、前記ワイヤレス通信デバイスのユーザに対して収集された医療データの解釈に基づいている請求項２１記載のシステム。
【請求項３４】
前記ユーザプロファイルを生成させることは、前記収集したユーザデータの心理学的評価を実行することである請求項２１記載のシステム。
【請求項３５】
前記ユーザプロファイルを生成させることは、前記収集したユーザデータに基づいて医療診断を作成することである請求項３３記載のシステム。
【請求項３６】
ワイヤレス通信ネットワークを通して他のコンピュータデバイスと選択的に通信し、前記他のコンピュータデバイスのユーザに対するユーザプロファイルを生成させるように構成され、前記他のコンピュータデバイスのうちの少なくとも１つは、それについてユーザを有するワイヤレス通信デバイスにおいて、
前記少なくとも１つのコンピュータデバイスとの物理的なユーザ対話からデータを収集するデータ入力モジュールと、
前記対話からの収集データに基づいて、前記少なくとも１つのコンピュータデバイスのユーザに対するユーザプロファイルを生成させるプロファイルモジュールと、
前記ワイヤレスネットワークを通して、前記少なくとも１つのコンピュータデバイスのユーザに対するユーザプロファイルを、前記ワイヤレス通信デバイスのユーザに通知する通信モジュールとを具備するワイヤレス通信デバイス。
【請求項３７】
前記ワイヤレス通信デバイスは、前記ワイヤレスネットワークを通して、他のコンピュータデバイスと対話するための、ワイヤレス通信デバイスの対話機能を含み、前記ワイヤレス通信デバイスはさらに、前記ユーザプロファイルに基づいて、前記少なくとも１つのコンピュータデバイスとの対話のための、前記ワイヤレス通信デバイスの対話機能を変更する請求項３６記載のデバイス。
【請求項３８】
前記ワイヤレス通信デバイスはさらに、前記ワイヤレスコンピュータネットワークを通して、前記少なくとも１つのコンピュータデバイスに対するユーザプロファイルを第２のコンピュータデバイスに送る請求項３６記載のデバイス。
【請求項３９】
前記データ入力モジュールは、前記ワイヤレス通信ネットワークを通して、前記ワイヤレス通信デバイスと、少なくとも１つのコンピュータデバイスとの間の短期間の対話からデータを収集する請求項３６記載のデバイス。
【請求項４０】
前記データ入力モジュールは、前記ワイヤレス通信ネットワークを通して、前記ワイヤレス通信デバイスと、少なくとも１つのコンピュータデバイスとの間の長期間の対話からデータを収集する請求項３６記載のデバイス。
【請求項４１】
ワイヤレス通信ネットワークを通して、他のワイヤレス通信デバイスと選択的に通信するワイヤレス通信デバイスのユーザをプロファイルする方法において、
第２のワイヤレス通信デバイスとの物理的ユーザ対話から、第１のワイヤレス通信デバイスにおいてユーザデータを収集することと、
前記収集したユーザデータを解釈して、前記第２のワイヤレス通信デバイスのユーザに対するユーザプロファイルを生成させることとを含む方法。
【請求項４２】
前記第１のワイヤレス通信デバイスおよび前記第２のワイヤレス通信デバイスは、それについて同じユーザを有する同じワイヤレス通信デバイスである請求項４１記載の方法。
【請求項４３】
前記第２のワイヤレス通信デバイスは、前記ワイヤレス通信ネットワークを通して前記第１のワイヤレス通信デバイスと通信する請求項４１記載の方法。
【請求項４４】
前記収集したユーザデータを解釈して、ユーザプロファイルを生成させることは、前記第１のワイヤレス通信デバイスにおいて発生する請求項４１記載の方法。
【請求項４５】
前記第１のワイヤレス通信デバイスは、前記ワイヤレス通信ネットワークを通して、１つ以上のコンピュータデバイスと通信し、前記方法は、
前記ワイヤレス通信ネットワークを通して、前記第１のワイヤレス通信デバイスからコンピュータデバイスに、前記収集したユーザデータを送ることをさらに含み、
前記収集したユーザデータを解釈して、ユーザプロファイルを発生させることは、前記コンピュータデバイスにおいて発生する請求項４１記載の方法。
【請求項４６】
前記コンピュータデバイスから前記第１のワイヤレス通信デバイスに、前記第２のワイヤレス通信デバイスのユーザに対するユーザプロファイルを送ることをさらに含む請求項４１記載の方法。
【請求項４７】
前記ユーザデータを収集することは、前記ユーザによって前記第２のワイヤレス通信デバイスに入力されるデータの解釈に基づいている請求項４１記載の方法。
【請求項４８】
前記ユーザデータを収集することは、前記ユーザによって前記第２のワイヤレス通信デバイスに入力される短期間のデータの解釈に基づいている請求項４７記載の方法。
【請求項４９】
前記ユーザデータを収集することは、前記ユーザによって前記第２のワイヤレス通信デバイスに入力される長期間のデータの解釈に基づいている請求項４７記載の方法。
【請求項５０】
前記ユーザデータを収集することは、前記第２のワイヤレス通信デバイスに常駐しているコンタクトリストの解釈に基づいている請求項４７記載の方法。
【請求項５１】
前記ユーザデータを収集することは、前記第２のワイヤレス通信デバイスに対する１つ以上の通信グループのメンバーの数の解釈に基づいている請求項４１記載の方法。
【請求項５２】
前記ユーザデータを収集することは、前記第２のワイヤレス通信デバイスの１つ以上のデータ入力メカニズムとの、ユーザの物理的対話の解釈に基づいている請求項４１記載の方法。
【請求項５３】
前記ユーザデータを収集することは、前記第２のワイヤレス通信デバイスのユーザの取得された物理的情報に基づいている請求項４１記載の方法。
【請求項５４】
前記第２のワイヤレス通信デバイスはカメラを含み、前記ユーザデータを収集することは、前記第２のワイヤレス通信デバイスのユーザの取得された写真の解釈に基づいている請求項５３記載の方法。
【請求項５５】
前記第２のワイヤレス通信デバイスは音声入力を含み、前記ユーザデータを収集することは、前記第２のワイヤレス通信デバイスに話している前記ユーザのスピーチ音量の解釈に基づいている請求項５３記載の方法。
【請求項５６】
前記ユーザデータを収集することは、前記第２のワイヤレス通信デバイスに常駐しているコンタクトリストの解釈に基づいている請求項４１記載の方法。
【請求項５７】
前記第２のワイヤレス通信デバイスは、１つ以上の医療診断ツールを含み、前記ユーザデータを収集することは、前記１つ以上の医療診断ツールによって、前記第２のワイヤレス通信デバイスのユーザに対して収集された医療データの解釈に基づいている請求項４１記載の方法。
【請求項５８】
前記ユーザプロファイルを生成させることは、前記収集したユーザデータの心理学的評価を実行することである請求項４１記載の方法。
【請求項５９】
前記ユーザプロファイルを生成させることは、前記収集したユーザデータに基づいて医療診断を作成することである請求項５７記載の方法。
【請求項６０】
前記第１のワイヤレス通信デバイスは、そのユーザと対話するための、ワイヤレス通信デバイスの機能を含み、前記第１のワイヤレス通信デバイスはさらに、前記第２のワイヤレス通信デバイスのユーザに対するユーザプロファイルに基づいて、前記ワイヤレス通信デバイスの機能を変更する請求項４１記載の方法。
【手続補正２】
【補正対象書類名】明細書
【補正対象項目名】００３２
【補正方法】変更
【補正の内容】
【００３２】
判断１５４において示すように、ワイヤレス通信デバイス１２、１８、２０、２２に関する、図７Ａ中のプロセスは、ユーザプロファイルがユーザに対して受信されているかどうかに関する決定を実施する。判断１５４において、ユーザプロファイルが受信されている場合、予め規定されているプロセス１６０において示すように、ワイヤレスデバイスの機能の設定が変更され、例えば、ＵＩ、スクリーンの提示、デバイスの音量およびこれらに類似するものが変更され、プロセスは次に、終端１６２において終了し、ワイヤレス通信デバイス１２、１８、２０、２２は、判断１５０において別のユーザ対話を待つだろう。判断１５４において、ユーザプロファイルが受信されていない場合、ワイヤレス通信デバイス１２、１８、２０、２２は、（ここでのさまざまな実施形態において記述するように）ユーザデータを収集し、ステップ１５８において示すように、収集したユーザデータをユーザプロファイルサーバ１６に送り、ユーザプロファイルサーバ１６からユーザプロファイルを最終的に戻すように受信するまでユーザデータを収集し、送る、判断１５４におけるループに入る。
【手続補正３】
【補正対象書類名】明細書
【補正対象項目名】００３３
【補正方法】変更
【補正の内容】
【００３３】
図７Ｂにおいて、ワイヤレス通信デバイス１２、１８、２０、２２と通信するユーザプロファイルサーバ１６におけるプロセスを示す。判断１７０において示すように、ユーザプロファイルサーバ１６は、ワイヤレス通信デバイス１２、１８、２０、２２がユーザプロファイルを要求しているかどうかを決定し、要求がなされていない場合、判断１７０において、ユーザプロファイルサーバ１６は、要求に対する待ち状態に入るだろう。そうでなくて、判断１７０において、いったんユーザプロファイルが要求されていると、判断１７２において示すように、ユーザプロファイルが要求されるユーザが既知であるかどうかに関する決定がなされる。ユーザが既知である場合、ステップ１７４において示すように、ユーザプロファイルが取得され、ワイヤレス通信デバイス１２、１８、２０、２２に戻すように送られる。そうでなくて、判断１７２において、ユーザがユーザプロファイルサーバに知られていない場合、ユーザプロファイルサーバ１６は、ワイヤレス通信デバイス１２、１８、２０、２２にユーザプロファイルを送らず、それにより、図７Ａ中で示すように、そのデバイスは、ユーザデータを収集することを開始し、ユーザデータを送り、ステップ１７６において示すように、ユーザプロファイルサーバ１６は、収集されたユーザデータを受信し、次に、予め規定されているプロセス１７８として示すように、受信したユーザデータに対するユーザプロファイルを発生させる。ユーザプロファイルサーバ１６は次に、ワイヤレス通信デバイス１２、１８、２０、２２に対して、発生したユーザプロファイルを戻すように送り、また、ステップ１８０において示すように、ユーザプロファイルを記憶し、次に、終端１８２において示すように、プロセスが終了する。ステップ１８０にける、発生したユーザプロファイルの記憶は、ユーザプロファイルのデータベースを生成させることが好ましいが、欠かせないものではない。
【手続補正４】
【補正対象書類名】明細書
【補正対象項目名】００３４
【補正方法】変更
【補正の内容】
【００３４】
図８は、ワイヤレス通信デバイス１２、１８、２０、２２上で実行する方法の１つの実施形態に対するフローチャートであり、方法により、そのワイヤレス通信デバイス１２、１８、２０、２２と通信しているデバイスのユーザに対して、記憶されているユーザプロファイルを示すことが可能なるか、または、例えば、通信にかかわっている、図４中のワイヤレス通信デバイス９０および１００において、短期間のプロファイルを代わりに発生させ、表示できる。判断１９０において示すように、ワイヤレス通信デバイス１２、１８、２０、２２は、別のデバイスとの通信が開始しているかどうかを決定し、要求がなされていない場合、判断１９０において、ワイヤレス通信デバイス１２、１８、２０、２２は、開始する通信に対する待ち状態に入る。そうでなくて、判断１９０において、いったん通信が開始していると、判断１９２において示すように、他の通信デバイスに対するユーザが既知であるかどうかに関する決定がなされる。ユーザが既知である場合、ステップ１９６において示すように、他のユーザに対するユーザプロファイルが、例えば、移動電話機９０のディスプレイ９２上で表示される。そうでなくて、判断１９２において、ユーザが既知でない場合、または、通信しているユーザのユーザプロファイルが表示された（ステップ１９６）後、判断１９８において示すように、他のユーザの短期間のプロファイルが要求されているかどうかに関する決定がなされる。
【手続補正５】
【補正対象書類名】明細書
【補正対象項目名】００４２
【補正方法】変更
【補正の内容】
【００４２】
本発明を、それらの好ましい実施形態に関して、特に示し、記述してきたが、特許請求の範囲で示すような、本発明の範囲から逸脱することなく、形態および詳細におけるさまざまな変更を実施してもよいことが、当業者によって理解されるであろう。さらに、本発明の要素は、単数形で記述または主張されているかもしれないが、単数形への限定を明示的に述べていない限り、複数形が考えられる。  
以下に、本願出願の当初の特許請求の範囲に記載された発明を付記する。
［１］ワイヤレス通信デバイスのユーザをプロファイルし、前記ユーザのプロファイルに基づいて、前記ワイヤレス通信デバイスの機能を変更する方法において、
ユーザ対話に対する機能を有する前記ワイヤレス通信デバイスとの物理的なユーザ対話からユーザデータを収集することと、
前記収集したユーザデータに基づいて、ユーザプロファイルを生成させることと、
前記収集したユーザデータに基づいて、前記ワイヤレス通信デバイスの機能を変更することとを含む方法。
［２］前記ユーザデータを収集することは、前記ユーザによって前記ワイヤレス通信デバイスに入力されるデータの解釈に基づいている上記［１］記載の方法。
［３］前記ユーザデータを収集することは、前記ユーザによって前記ワイヤレス通信デバイスに入力される短期間のデータの解釈に基づいている上記［１］記載の方法。
［４］前記ユーザデータを収集することは、前記ユーザによって前記ワイヤレス通信デバイスに入力される長期間のデータの解釈に基づいている上記［１］記載の方法。
［５］前記ユーザデータを収集することは、前記ワイヤレス通信デバイスに常駐しているコンタクトリストの解釈に基づいている上記［１］記載の方法。
［６］前記ユーザデータを収集することは、前記ワイヤレス通信デバイスに対する１つ以上の通信グループのメンバーの数の解釈に基づいている上記［１］記載の方法。
［７］前記ユーザデータを収集することは、前記ワイヤレス通信デバイスの１つ以上のデータ入力メカニズムとの、ユーザの物理的対話の解釈に基づいている上記［１］記載の方法。
［８］前記ユーザデータを収集することは、前記ワイヤレス通信デバイスのユーザの取得された物理的情報に基づいている上記［１］記載の方法。
［９］前記ワイヤレス通信デバイスはカメラを含み、前記ユーザデータを収集することは、前記ワイヤレス通信デバイスのユーザの取得された写真の解釈に基づいている上記［８］記載の方法。
［１０］前記ワイヤレス通信デバイスは音声入力を含み、前記ユーザデータを収集することは、前記ワイヤレス通信デバイスに話している前記ユーザのスピーチ音量の解釈に基づいている上記［８］記載の方法。
［１１］前記ユーザデータを収集することは、前記ワイヤレス通信デバイスに常駐しているコンタクトリストの解釈に基づいている上記［１］記載の方法。
［１２］前記ワイヤレス通信デバイスは、１つ以上の医療診断ツールを含み、前記ユーザデータを収集することは、前記１つ以上の医療診断ツールによって、前記ワイヤレス通信デバイスのユーザに対して収集された医療データの解釈に基づいている上記［１］記載の方法。
［１３］前記ユーザプロファイルを生成させることは、前記収集したユーザデータの心理学的評価を実行することである上記［１］記載の方法。
［１４］前記ユーザプロファイルを生成させることは、前記収集したユーザデータに基づいて医療診断を作成することである上記［１２］記載の方法。
［１５］前記ユーザプロファイルを生成させることは、前記ワイヤレス通信デバイスにおいて発生する上記［１］記載の方法。
［１６］前記ワイヤレス通信デバイスは、ワイヤレス通信ネットワークを通して１つ以上のコンピュータデバイスと通信し、前記方法は、
前記ワイヤレス通信ネットワークを通して、前記ワイヤレス通信デバイスからコンピュータデバイスに、前記収集したユーザデータを送ることと、
前記コンピュータデバイスから前記送信ワイヤレス通信デバイスに前記ユーザプロファイルを送ることとを含み、
前記ユーザプロファイルを生成させることは、前記コンピュータデバイスにおいて発生する上記［１］記載の方法。
［１７］前記ワイヤレス通信デバイスはグラフィックユーザインターフェース（ＧＵＩ）を含み、前記ワイヤレス通信デバイスの機能を変更することは、前記ワイヤレス通信デバイスのＧＵＩを変更することである上記［１］記載の方法。
［１８］ユーザプロファイルに基づくワイヤレス通信デバイスの機能を有するワイヤレス通信デバイスにおいて、
前記ワイヤレス通信デバイスとの物理的なユーザ対話からユーザデータを収集する手段と、
前記収集したユーザデータに基づいて、ユーザプロファイルを生成させる手段と、
前記収集したユーザデータに基づいて、前記ワイヤレス通信デバイスの機能を変更する手段とを具備するワイヤレス通信デバイス。
［１９］前記ユーザデータに基づいて、心理学的プロファイルを発生させる手段をさらに具備する上記［１８］記載のデバイス。
［２０］前記ワイヤレス通信デバイスのユーザの医療診断データを収集する手段をさらに具備する上記［１８］記載のデバイス。
［２１］前記収集したユーザデータに基づいて、医療診断を発生させる手段をさらに具備する上記［２０］記載のデバイス。
［２２］ワイヤレス通信ネットワークにおけるワイヤレス通信デバイスに対して前記ワイヤレス通信デバイスの機能を変更するシステムであって、前記変更は、前記ワイヤレス通信デバイスのユーザのユーザプロファイルに基づいているシステムにおいて、
前記ワイヤレス通信デバイスとの物理的なユーザ対話からユーザデータを収集するように構成され、ユーザ対話に対する機能を有し、前記ワイヤレス通信ネットワークを通して、前記収集したユーザデータを選択的に送信するようにさらに構成されている少なくとも１つのワイヤレス通信デバイスと、
前記送信された収集ユーザデータを受信するように構成され、前記受信した収集ユーザデータに基づいて、ユーザプロファイルデータを生成させ、前記少なくとも１つのワイヤレス通信デバイスに対して前記ユーザプロファイルデータを送信するようにさらに構成されている少なくとも１つのコンピュータデバイスとを具備し、
前記ワイヤレス通信デバイスは、前記受信したユーザプロファイルデータに基づいて、前記ワイヤレス通信デバイスの機能を変更するようにさらに構成されているシステム。
［２３］前記ユーザプロファイルデータは、前記ワイヤレス通信デバイスの特定の、ワイヤレスデバイスの機能を含み、前記少なくとも１つのワイヤレス通信デバイスは、前記ユーザプロファイルデータにおいて受信した前記ワイヤレス通信デバイスに基づいて、前記ワイヤレス通信デバイスの機能を変更するようにさらに構成されている上記［２２］記載のシステム。
［２４］前記少なくとも１つのコンピュータデバイスは、前記ユーザプロファイルデータを記憶するようにさらに構成されている上記［２２］記載のシステム。
［２５］前記ユーザデータを収集することは、前記ユーザによって前記ワイヤレス通信デバイスに入力されるデータの解釈に基づいている上記［２２］記載のシステム。
［２６］前記ユーザデータを収集することは、前記ユーザによって前記ワイヤレス通信デバイスに入力される短期間のデータの解釈に基づいている上記［２２］記載のシステム。
［２７］前記ユーザデータを収集することは、前記ユーザによって前記ワイヤレス通信デバイスに入力される長期間のデータの解釈に基づいている上記［２２］記載のシステム。
［２８］前記ユーザデータを収集することは、前記ワイヤレス通信デバイスに常駐しているコンタクトリストの解釈に基づいている上記［２２］記載のシステム。
［２９］前記ユーザデータを収集することは、前記ワイヤレス通信デバイスに対する１つ以上の通信グループのメンバーの数の解釈に基づいている上記［２２］記載のシステム。
［３０］前記ワイヤレス通信デバイスは、１つ以上のデータ入力メカニズムを含み、前記ワイヤレス通信デバイスは、前記ユーザによって前記データ入力メカニズムに入力されるデータの解釈に基づいて、ユーザデータを発生させるようにさらに構成されている上記［２２］記載のシステム。
［３１］前記ユーザデータを収集することは、前記ワイヤレス通信デバイスのユーザの取得された物理的情報に基づいている上記［２２］記載のシステム。
［３２］前記ワイヤレス通信デバイスはカメラを含み、前記ユーザデータを収集することは、前記ワイヤレス通信デバイスのユーザの取得された写真の解釈に基づいている上記［３１］記載のシステム。
［３３］前記ワイヤレス通信デバイスは音声入力を含み、前記ユーザデータを収集することは、前記ワイヤレス通信デバイスに話している前記ユーザのスピーチ音量の解釈に基づいている上記［３１］記載のシステム。
［３４］前記ワイヤレス通信デバイスは、１つ以上の医療診断ツールを含み、前記ユーザデータを収集することは、前記１つ以上の医療診断ツールによって、前記ワイヤレス通信デバイスのユーザに対して収集された医療データの解釈に基づいている上記［２２］記載のシステム。
［３５］前記ユーザプロファイルを生成させることは、前記収集したユーザデータの心理学的評価を実行することである上記［２２］記載のシステム。
［３６］前記ユーザプロファイルを生成させることは、前記収集したユーザデータに基づいて医療診断を作成することである上記［３４］記載のシステム。
［３７］前記ユーザデータを収集することは、前記ユーザによって前記ワイヤレス通信デバイスに入力される短期間のデータの解釈に基づいている上記［２２］記載のシステム。
［３８］前記ユーザデータを収集することは、前記ユーザによって前記ワイヤレス通信デバイスに入力される長期間のデータの解釈に基づいている上記［２２］記載のシステム。
［３９］ワイヤレス通信ネットワークを通して他のコンピュータデバイスと選択的に通信し、前記他のコンピュータデバイスのユーザに対するユーザプロファイルを生成させるように構成され、前記他のコンピュータデバイスのうちの少なくとも１つは、それについてユーザを有するワイヤレス通信デバイスにおいて、
前記ワイヤレス通信ネットワークを通して、前記ワイヤレス通信デバイスと、少なくとも１つのコンピュータデバイスとの間の対話からデータを収集するデータ入力モジュールと、
前記対話からの収集データに基づいて、前記少なくとも１つのコンピュータデバイスのユーザに対するユーザプロファイルを生成させるプロファイルモジュールと、
前記ワイヤレスネットワークを通して、前記少なくとも１つのコンピュータデバイスのユーザに対するユーザプロファイルを、前記ワイヤレス通信デバイスのユーザに通知する通信モジュールとを具備するワイヤレス通信デバイス。
［４０］前記ワイヤレス通信デバイスは、前記ワイヤレスネットワークを通して、他のコンピュータデバイスと対話するための、ワイヤレス通信デバイスの対話機能を含み、前記ワイヤレス通信デバイスはさらに、前記ユーザプロファイルに基づいて、前記少なくとも１つのコンピュータデバイスとの対話のための、前記ワイヤレス通信デバイスの対話機能を変更する上記［３９］記載のデバイス。
［４１］前記ワイヤレスコンピュータデバイスはさらに、前記ワイヤレスコンピュータネットワークを通して、前記少なくとも１つのコンピュータデバイスに対するユーザプロファイルを第２のコンピュータデバイスに送る上記［３９］記載のデバイス。
［４２］前記データ入力モジュールは、前記ワイヤレス通信ネットワークを通して、前記ワイヤレス通信デバイスと、少なくとも１つのコンピュータデバイスとの間の短期間の対話からデータを収集する上記［３９］記載のデバイス。
［４３］前記データ入力モジュールは、前記ワイヤレス通信ネットワークを通して、前記ワイヤレス通信デバイスと、少なくとも１つのコンピュータデバイスとの間の長期間の対話からデータを収集する上記［３９］記載のデバイス。
［４４］ワイヤレス通信ネットワークを通して、他のワイヤレス通信デバイスと選択的に通信するワイヤレス通信デバイスのユーザをプロファイルする方法において、
第２のワイヤレス通信デバイスとの物理的ユーザ対話から、第１のワイヤレス通信デバイスにおいてユーザデータを収集することと、
前記収集したユーザデータを解釈して、前記第２のワイヤレス通信デバイスのユーザに対するユーザプロファイルを生成させることとを含む方法。
［４５］前記第１のワイヤレス通信デバイスおよび前記第２のワイヤレス通信デバイスは、それについて同じユーザを有する同じワイヤレス通信デバイスである上記［４４］記載の方法。
［４６］前記第２のワイヤレス通信デバイスは、前記ワイヤレス通信ネットワークを通して前記第１のワイヤレス通信デバイスと通信する上記［４４］記載の方法。
［４７］前記収集したユーザデータを解釈して、ユーザプロファイルを生成させることは、前記第１のワイヤレス通信デバイスにおいて発生する上記［４４］記載の方法。
［４８］前記第１のワイヤレス通信デバイスは、前記ワイヤレス通信ネットワークを通して、１つ以上のコンピュータデバイスと通信し、前記方法は、
前記ワイヤレス通信ネットワークを通して、前記第１のワイヤレス通信デバイスからコンピュータデバイスに、前記収集したユーザデータを送ることをさらに含み、
前記収集したユーザデータを解釈して、ユーザプロファイルを発生させることは、前記コンピュータデバイスにおいて発生する上記［４４］記載の方法。
［４９］前記コンピュータデバイスから前記第１のワイヤレス通信デバイスに、前記第２のワイヤレス通信デバイスのユーザに対するユーザプロファイルを送ることをさらに含む上記［４４］記載の方法。
［５０］前記ユーザデータを収集することは、前記ユーザによって前記第２のワイヤレス通信デバイスに入力されるデータの解釈に基づいている上記［４４］記載の方法。
［５１］前記ユーザデータを収集することは、前記ユーザによって前記第２のワイヤレス通信デバイスに入力される短期間のデータの解釈に基づいている上記［５０］記載の方法。
［５２］前記ユーザデータを収集することは、前記ユーザによって前記第２のワイヤレス通信デバイスに入力される長期間のデータの解釈に基づいている上記［５０］記載の方法。
［５３］前記ユーザデータを収集することは、前記第２のワイヤレス通信デバイスに常駐しているコンタクトリストの解釈に基づいている上記［５０］記載の方法。
［５４］前記ユーザデータを収集することは、前記第２のワイヤレス通信デバイスに対する１つ以上の通信グループのメンバーの数の解釈に基づいている上記［４４］記載の方法。
［５５］前記ユーザデータを収集することは、前記第２のワイヤレス通信デバイスの１つ以上のデータ入力メカニズムとの、ユーザの物理的対話の解釈に基づいている上記［４４］記載の方法。
［５６］前記ユーザデータを収集することは、前記第２のワイヤレス通信デバイスのユーザの取得された物理的情報に基づいている上記［４４］記載の方法。
［５７］前記第２のワイヤレス通信デバイスはカメラを含み、前記ユーザデータを収集することは、前記第２のワイヤレス通信デバイスのユーザの取得された写真の解釈に基づいている上記［５６］記載の方法。
［５８］前記第２のワイヤレス通信デバイスは音声入力を含み、前記ユーザデータを収集することは、前記第２のワイヤレス通信デバイスに話している前記ユーザのスピーチ音量の解釈に基づいている上記［５６］記載の方法。
［５９］前記ユーザデータを収集することは、前記第２のワイヤレス通信デバイスに常駐しているコンタクトリストの解釈に基づいている上記［４４］記載の方法。
［６０］前記第２のワイヤレス通信デバイスは、１つ以上の医療診断ツールを含み、前記ユーザデータを収集することは、前記１つ以上の医療診断ツールによって、前記第２のワイヤレス通信デバイスのユーザに対して収集された医療データの解釈に基づいている上記［４４］記載の方法。
［６１］前記ユーザプロファイルを生成させることは、前記収集したユーザデータの心理学的評価を実行することである上記［４４］記載の方法。
［６２］前記ユーザプロファイルを生成させることは、前記収集したユーザデータに基づいて医療診断を作成することである上記［６０］記載の方法。
［６３］前記第１のワイヤレス通信デバイスは、そのユーザと対話するための、ワイヤレス通信デバイスの機能を含み、前記第１のワイヤレス通信デバイスはさらに、前記第２のワイヤレス通信デバイスのユーザに対するユーザプロファイルに基づいて、前記ワイヤレス通信デバイスの機能を変更する上記［４４］記載の方法。
【国際調査報告】
2010531121.tif 000011
2010531121.tif 000012
2010531121.tif 000013
2010531121.tif 000014
2010531121.tif 000015